(57)【要約】【課題】利便性や意匠性を向上させることができる落下防止装置および建具を提供すること。【解決手段】落下防止装置４０のスライダ４１を案内する案内溝２Ｄが上枠２の見付け面部２Ｂ室外側に設けられるとともに、連結アーム４２の他端を支持するブラケット４３が障子１０の吊り元側における縦框１３の見込み面部１３Ｄに固定されているので、案内溝２Ｄや落下防止装置４０が室内側に突出しないようにできる。そして、障子１０を開放した際にも連結アーム４２などが開口部分に大きく露出することなく、落下防止装置４０が目立たないようにでき、窓の意匠性を向上させることができる。さらに、落下防止装置４０が室内側に突出しないことから、窓の室内側に設けられるブラインドやカーテンなど内装具の邪魔になることがなく、これらを設置する上での制約をなくして利便性を向上させることができる。【選択図】図５
2009228343.tif 000002
【特許請求の範囲】
【請求項１】
上枠、下枠および左右の縦枠を有した窓枠と、この窓枠に開閉自在に支持されて上框、下框および左右の縦框を有した障子とを備えた建具に設置され、前記障子の落下を防止する落下防止装置であって、
前記障子は、前記左右の縦框のうちの一方側の縦框が前記窓枠に支持されるか、または当該一方側の上框および下框が前記窓枠に支持されるとともに、他方側の縦框が室外側に開放可能に構成され、前記上枠、下枠および左右の縦枠には、それぞれ閉鎖した前記障子の室内側側面に気密材を介して当接可能な見付け面部が形成されており、
前記窓枠の上枠および下枠の少なくともいずれか一方にスライド自在に設けられるスライド部材と、
このスライド部材に一端が回動自在に連結されるとともに一方側の前記縦枠に向かって延びる連結部材と、
この連結部材の他端に回動自在に連結されるとともに前記一方側の縦框または前記上框あるいは下框に固定される支持部材とを備え、
前記スライド部材は、前記見付け面部の室外側側面に設けた案内部に案内されてスライド移動可能に構成されている落下防止装置。
【請求項２】
前記スライド部材は、前記上枠の見付け面部に支持されており、
前記連結部材は、前記スライド部材に連結されるとともに前記障子の上框に沿って前記一方側の縦枠に向かって延びる第１片部と、この第１片部の先端部から下方に折れ曲がって前記一方側の縦框に沿って延びる第２片部と、この第２片部の下端部に連続して前記支持部材に連結される第３片部とを有して形成されている請求項１に記載の落下防止装置。
【請求項３】
前記連結部材の第２片部は、前記一方側の縦框における見付け方向外側の見込み面に沿って上下に延びて形成され、前記支持部材は、当該一方側の縦框の前記見込み面に固定されている請求項２に記載の落下防止装置。
【請求項４】
前記連結部材の一端および他端は、それぞれ前記スライド部材および前記支持部材に対して鉛直方向に沿った回転軸まわりに回動自在に連結され、前記障子の開閉に伴って水平面と平行に回動するとともに、前記上枠および下枠に平行に左右移動可能に構成されている請求項１から請求項３のいずれかに記載の落下防止装置。
【請求項５】
上枠、下枠および左右の縦枠を有した窓枠と、この窓枠に開閉自在に支持されて上框、下框および左右の縦框を有した障子と、この障子の落下を防止する落下防止装置とを備えた建具であって、
前記障子は、前記左右の縦框のうちの一方側の縦框が前記窓枠に支持されるか、または当該一方側の上框および下框が前記窓枠に支持されるとともに、他方側の縦框が室外側に開放可能に構成され、前記上枠、下枠および左右の縦枠には、それぞれ閉鎖した前記障子の室内側側面に気密材を介して当接可能な見付け面部が形成されており、
前記落下防止装置は、
前記窓枠の上枠および下枠の少なくともいずれか一方にスライド自在に設けられるスライド部材と、
このスライド部材に一端が回動自在に連結されるとともに一方側の前記縦枠に向かって延びる連結部材と、
この連結部材の他端に回動自在に連結されるとともに前記一方側の縦框または前記上框あるいは下框に固定される支持部材とを備えて構成され、
前記スライド部材は、前記見付け面部の室外側側面に設けた案内部に案内されてスライド移動可能に構成されている建具。
【請求項６】
前記上枠の見付け面部および前記上框の室内側側面の一方には、他方に当接する上気密材が設けられ、前記下枠の見付け面部および前記下框の室内側側面の一方には、他方に当接する下気密材が設けられ、前記縦枠の見付け面部および前記縦框の室内側側面の一方には、他方に当接する縦気密材が設けられており、
前記上気密材、下気密材および左右の縦気密材は、互いの端部が接続されて四周連続して設けられ、
前記スライド部材を案内する見付け面部の案内部は、前記上気密材または下気密材よりも見付け方向外側に設けられ、前記落下防止装置のスライド部材および連結部材は、前記上気密材、下気密材および縦気密材よりも見付け方向外側に設けられている請求項５に記載の建具。
【請求項７】
複数のリンク部材で構成されるとともに前記上枠に連結された上部支持装置と、複数のリンク部材で構成されるとともに前記下枠に連結された下部支持装置とを介して、前記障子が前記窓枠に支持されるとともに、前記一方側の縦框が室外側かつ一方側の縦枠から離れる方向に移動しつつ、他方側の縦框が室外側に開放される縦辷出し窓であって、
前記落下防止装置のスライド部材は、前記上部支持装置または下部支持装置の見込み方向室内側に重なる位置において前記案内部に支持され、前記連結部材は、前記上部支持装置または下部支持装置における複数のリンク部材の回動に伴って当該リンク部材の室内側または前記一方側に沿って回動可能に構成されている請求項５または請求項６に記載の建具。
【発明の詳細な説明】
【技術分野】
【０００１】
本発明は、落下防止装置および建具に関し、詳しくは、窓枠に開閉自在に支持された障子を備えた建具に設置されて障子の落下を防止する落下防止装置および建具に関する。
【背景技術】
【０００２】
従来、開き窓や縦辷出し窓等の建具において、障子の脱落を防止する落下防止装置が提案されている（例えば、特許文献１参照）。
特許文献１に記載された落下防止装置は、反転窓における窓枠と障子とを連結して障子の落下を防止するものであって、窓上枠に沿って設けたガイド溝と、このガイド溝に摺動案内される摺動部材と、この摺動部材と障子の縦框との間を回動自在に連結するアーム部材とを有して構成されている。そして、この落下防止装置は、障子を支持する開閉支持用の連結アームなどが破損した場合に、アーム部材等で障子の重量を支持することができるとともに、障子の開閉に伴ってアーム部材が室外側に回動するとともに、摺動部材がガイド溝に沿って摺動することで、障子の開閉移動に追従できるように構成されている。
【０００３】
【特許文献１】特許第２５５７７０６号公報
【発明の開示】
【発明が解決しようとする課題】
【０００４】
しかしながら、従来の落下防止装置では、上枠から室内側に突出して取り付けたアタッチメントにガイド溝が設けられ、アーム部材が障子の室内側側面に連結されているなど、建具の室内側に突起物が多く設けられているため、建具の内観意匠性が劣るとともに、建具の室内側に設けられるブラインドやカーテンなどの邪魔になり、利便性も低下してしまうという問題がある。
【０００５】
本発明の目的は、利便性や意匠性を向上させることができる落下防止装置および建具を提供することにある。
【課題を解決するための手段】
【０００６】
本発明の落下防止装置は、上枠、下枠および左右の縦枠を有した窓枠と、この窓枠に開閉自在に支持されて上框、下框および左右の縦框を有した障子とを備えた建具に設置され、前記障子の落下を防止する落下防止装置であって、前記障子は、前記左右の縦框のうちの一方側の縦框が前記窓枠に支持されるか、または当該一方側の上框および下框が前記窓枠に支持されるとともに、他方側の縦框が室外側に開放可能に構成され、前記上枠、下枠および左右の縦枠には、それぞれ閉鎖した前記障子の室内側側面に気密材を介して当接可能な見付け面部が形成されており、前記窓枠の上枠および下枠の少なくともいずれか一方にスライド自在に設けられるスライド部材と、このスライド部材に一端が回動自在に連結されるとともに一方側の前記縦枠に向かって延びる連結部材と、この連結部材の他端に回動自在に連結されるとともに前記一方側の縦框または前記上框あるいは下框に固定される支持部材とを備え、前記スライド部材は、前記見付け面部の室外側側面に設けた案内部に案内されてスライド移動可能に構成されていることを特徴とする。
【０００７】
ここで、本発明の落下防止装置が設けられる建具としては、障子が回動開閉可能に支持されたものであればよく、開き窓や縦（横）辷出し窓、突き出し窓、外倒し窓等、任意の開き形式の窓に適用可能である。
【０００８】
以上の本発明によれば、上枠や下枠における見付け面部の室外側側面に設けた案内部にスライド部材が案内されるとともに、このスライド部材に一端を連結した連結部材が一方側の縦枠（障子の一方側である吊り元側）に延びて設けられ、一方側の縦框や上框あるいは下框に固定した支持部材に連結部材の他端が連結されることで、案内部やスライド部材、連結部材が室内側に突出しない。さらに、連結部材が障子の吊り元側の支持部材に連結されるので、障子開放時に連結部材などが開口部分（障子の他方側である戸先側）に大きく露出することがない。従って、閉鎖状態および開放状態のいずれの状態においても落下防止装置が目立たず、建具の意匠性を向上させることができる。さらに、落下防止装置が室内側に突出しないことから、建具の室内側側面がフラットに形成でき、室内側に設けられるブラインドやカーテンなどの邪魔になることがなく、これらを設置する上での制約をなくして利便性を向上させることができる。
【０００９】
この際、本発明の落下防止装置では、前記スライド部材は、前記上枠の見付け面部に支持されており、前記連結部材は、前記スライド部材に連結されるとともに前記障子の上框に沿って前記一方側の縦枠に向かって延びる第１片部と、この第１片部の先端部から下方に折れ曲がって前記一方側の縦框に沿って延びる第２片部と、この第２片部の下端部に連続して前記支持部材に連結される第３片部とを有して形成されていることが好ましい。
この構成によれば、互いに折れ曲がって形成された第１〜第３の各片部を連結部材が有し、障子の上框に沿って第１片部を配置し、吊り元側の縦框に沿って第２片部を配置することで、この連結部材がさらに目立たなくでき、建具の意匠性をさらに向上させることができる。
【００１０】
さらに、本発明の落下防止装置では、前記連結部材の第２片部は、前記一方側の縦框における見付け方向外側の見込み面に沿って上下に延びて形成され、前記支持部材は、当該一方側の縦框の前記見込み面に固定されていることが好ましい。
このような構成によれば、一方側（吊り元側）の縦框の見込み面に沿って連結部材の第２片部を配置するとともに、縦框の見込み面に固定した支持部材に連結部材の第３片部を連結することで、連結部材や支持部材がより一層目立たなくできる。さらに、開き窓や縦辷出し窓等の障子の開放時において、窓枠からの距離が最も近くなる吊り元側の縦框の見込み面に支持部材を固定することで、連結部材の長さ寸法やスライド部材の移動距離が小さくでき、これらの各部寸法を小さくしても障子の開閉に十分追従できることから、当該落下防止装置の小型化を図ることができる。
【００１１】
また、本発明の落下防止装置では、前記連結部材の一端および他端は、それぞれ前記スライド部材および前記支持部材に対して鉛直方向に沿った回転軸まわりに回動自在に連結され、前記障子の開閉に伴って水平面と平行に回動するとともに、前記上枠および下枠に平行に左右移動可能に構成されていることが好ましい。
このような構成によれば、障子の開閉に伴って連結部材が水平面と平行に回動しつつ横移動するように構成されていることで、障子に対する追従性が良好になって開閉操作の負荷を低減できるとともに、当該落下防止装置の小型化をさらに促進することができる。すなわち、連結部材の回動方向と移動方向とが交差するような構成の場合には、連結部材の両端の回動部分や、スライド部材と案内部との摺接部分などに捻れる力が作用し、余分な摩擦力が発生することとなり、障子の開閉負荷が増大したり、落下防止装置の各部に摩耗が生じたりする可能性がある。これに対して連結部材が水平面に沿って回動しつつ移動することで、余分な摩擦力の発生を抑制することができる。
【００１２】
一方、本発明の建具は、上枠、下枠および左右の縦枠を有した窓枠と、この窓枠に開閉自在に支持されて上框、下框および左右の縦框を有した障子と、この障子の落下を防止する落下防止装置とを備えた建具であって、前記障子は、前記左右の縦框のうちの一方側の縦框が前記窓枠に支持されるか、または当該一方側の上框および下框が前記窓枠に支持されるとともに、他方側の縦框が室外側に開放可能に構成され、前記上枠、下枠および左右の縦枠には、それぞれ閉鎖した前記障子の室内側側面に気密材を介して当接可能な見付け面部が形成されており、前記落下防止装置は、前記窓枠の上枠および下枠の少なくともいずれか一方にスライド自在に設けられるスライド部材と、このスライド部材に一端が回動自在に連結されるとともに一方側の前記縦枠に向かって延びる連結部材と、この連結部材の他端に回動自在に連結されるとともに前記一方側の縦框または前記上框あるいは下框に固定される支持部材とを備えて構成され、前記スライド部材は、前記見付け面部の室外側側面に設けた案内部に案内されてスライド移動可能に構成されていることを特徴とする。
【００１３】
このような建具によれば、前記落下防止装置と略同様の効果が得られる。すなわち、建具の意匠性および利便性を向上させることができる。
【００１４】
この際、本発明の建具では、前記上枠の見付け面部および前記上框の室内側側面の一方には、他方に当接する上気密材が設けられ、前記下枠の見付け面部および前記下框の室内側側面の一方には、他方に当接する下気密材が設けられ、前記縦枠の見付け面部および前記縦框の室内側側面の一方には、他方に当接する縦気密材が設けられており、前記上気密材、下気密材および左右の縦気密材は、互いの端部が接続されて四周連続して設けられ、前記スライド部材を案内する見付け面部の案内部は、前記上気密材または下気密材よりも見付け方向外側に設けられ、前記落下防止装置のスライド部材および連結部材は、前記上気密材、下気密材および縦気密材よりも見付け方向外側に設けられていることが好ましい。
この構成によれば、落下防止装置を上下左右の縦気密材よりも見付け方向外側、すなわち気密ラインよりも室外側に設置したことで、障子の閉鎖状態においては落下防止装置が室内側に一切露出することがなく、また障子の開放状態においても一層目立ちにくくなり、建具の意匠性をさらに向上させることができる。また、落下防止装置の連結部材が気密材を横切ることがないので、建具の気密性や水密性、遮音性を阻害することがなく、建具の基本性能を確保しつつ意匠性や利便性を向上させることができる。
【００１５】
また、本発明の建具は、複数のリンク部材で構成されるとともに前記上枠に連結された上部支持装置と、複数のリンク部材で構成されるとともに前記下枠に連結された下部支持装置とを介して、前記障子が前記窓枠に支持されるとともに、前記一方側の縦框が室外側かつ一方側の縦枠から離れる方向に移動しつつ、他方側の縦框が室外側に開放される縦辷出し窓であって、前記落下防止装置のスライド部材は、前記上部支持装置または下部支持装置の見込み方向室内側に重なる位置において前記案内部に支持され、前記連結部材は、前記上部支持装置または下部支持装置における複数のリンク部材の回動に伴って当該リンク部材の室内側または前記一方側に沿って回動可能に構成されていることが好ましい。
この構成によれば、複数のリンク部材で構成される上部支持装置や下部支持装置と落下防止装置の連結部材との干渉を防止しつつ、落下防止装置を支持装置の近傍に設置することができ、意匠性に優れた縦辷出し窓を提供することができる。
【発明を実施するための最良の形態】
【００１６】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。
【００１７】
〔第１実施形態〕
図１は、本発明の第１実施形態に係る建具である縦辷出し窓１を示す縦断面図である。図２は、縦辷出し窓１を示す横断面図である。図３は、縦辷り出し窓１の要部を拡大して示す斜視図である。
図１〜図３に示すように、縦辷出し窓１は、それぞれアルミ形材製の上枠２、下枠３および左右の縦枠４，５を四周枠組みして形成された窓枠６と、この窓枠６に開閉自在に支持された障子１０とを有して構成されている。障子１０は、それぞれアルミ形材製の上框１１、下框１２および左右の縦框１３，１４を四周框組みした内部に面材であるガラスパネル１５を嵌め込んで構成され、上下の支持装置２０，３０によって窓枠６に支持されている。また、縦框１４には、回動操作可能なハンドル１６が取り付けられており、このハンドル１６を回動操作することで、施錠状態と解錠状態とを切り換えて障子１０が開閉できるようになっている。
【００１８】
窓枠６の上枠２、下枠３および左右の縦枠４，５は、それぞれ見込み方向に延びる見込み面部２Ａ，３Ａ，４Ａ，５Ａと、この見込み面部２Ａ，３Ａ，４Ａ，５Ａにおける室内寄りの位置から見付け方向内側に向かって延びる見付け面部２Ｂ，３Ｂ，４Ｂ，５Ｂとを少なくとも有して形成されている。各見付け面部２Ｂ，３Ｂ，４Ｂ，５Ｂの先端部室外側には、閉じた障子１０の上框１１、下框１２および縦框１３，１４に当接して気密性を確保するための気密材２Ｃ，３Ｃ，４Ｃ，５Ｃが取り付けられている。さらに、上枠２の見込み面部２Ａにおける吊り元側の縦枠４寄りの位置には、後述する上部支持装置２０のベース部材２１が固定され、下枠３の見込み面部３Ａにおける吊り元側の縦枠４寄りの位置には、下部支持装置３０のベース部材３１が固定され、これらの上枠２および下枠３によって障子１０の上框１１および下框１２がそれぞれ支持されている。
【００１９】
障子１０の上框１１、下框１２および左右の縦框１３，１４は、それぞれ見付け方向内側に開口するとともにビードを介してガラスパネル１５の端縁を保持する面材保持部１１Ａ，１２Ａ，１３Ａ，１４Ａと、この面材保持部１１Ａ，１２Ａ，１３Ａ，１４Ａよりも室外側にて上下左右に延びる室外側見付け面部１１Ｂ，１２Ｂ，１３Ｂ，１４Ｂと、面材保持部１１Ａ，１２Ａ，１３Ａ，１４Ａよりも室内側にて上下左右に延びる室内側見付け面部１１Ｃ，１２Ｃ，１３Ｃ，１４Ｃと、これらの見付け面部同士を連結して見込み方向に延びる見込み面部１１Ｄ，１２Ｄ，１３Ｄ，１４Ｄとを少なくとも有して形成されている。この障子１０を閉じた状態において、上框１１の室内側見付け面部１１Ｃが前記上枠２の気密材２Ｃに当接し、下框１２の室内側見付け面部１２Ｃが前記下枠３の気密材３Ｃに当接し、縦框１３，１４の室内側見付け面部１３Ｃ，１４Ｃが前記縦枠４，５の気密材４Ｃ，５Ｃに当接するようになっている。また、上框１１の見込み面部１１Ｄには、上部支持装置２０の第４リンク部材２５が固定され、下框１２の見込み面部１２Ｄには、下部支持装置３０の第４リンク部材３５が固定されている。
【００２０】
次に、障子１０を開閉自在に支持する上部支持装置２０および下部支持装置３０について、図４も参照して説明する。ここで、図４は、上部支持装置２０の開放状態を示す見上げの断面図である。なお、下部支持装置３０は、上部支持装置２０と略同様の構成を有して構成されているため、その説明を省略する。
上部支持装置２０は、上枠２に固定される長尺状のベース部材２１と、このベース部材２１に一端が回動自在に連結された第１リンク部材２２と、ベース部材２１に一端が回動自在かつスライド自在に連結されるとともに他端が第１リンク部材２２の途中位置に回動自在に連結された第２リンク部材２３と、この第２リンク部材２３の一端をベース部材２１に対してスライド自在に支持するスライダ２６とを有して構成されている。さらに、上部支持装置２０は、一端がスライダ２６に回動自在に連結されて第２リンク部材２３とともにベース部材２１に対してスライド自在に支持された第３リンク部材２４と、この第３リンク部材２４の他端に基端部が回動自在に連結される第４リンク部材２５とを有して構成されている。この第４リンク部材２５の途中位置には、第１リンク部材２２の他端が回動自在に連結されている。
【００２１】
そして、上部支持装置２０の第４リンク部材２５は、障子１０における上框１１の見込み面部１１Ｄに固定されており、このような上部支持装置２０および下部支持装置３０に支持された障子１０は、一方側である吊り元側の縦框１３が室外側かつ一方側の縦枠４から離れる方向に移動しつつ、他方側である戸先側の縦框１４（図２参照）が室外側に開放されるようになっている。また、ベース部材２１，３１の一方側端部には、それぞれ下方または上方に突出した断面略く字形の位置決め片部２１Ａ，３１Ａが形成されており、障子１０を閉じた際に、第４リンク部材２５の基端部が位置決め片部２１Ａに受け入れられることで、上部支持装置２０および下部支持装置３０の閉鎖状態が安定するようになっている。そして、上枠２と障子１０の吊り元側の縦框１３とは、次に説明する落下防止装置４０で連結されており、上部支持装置２０や下部支持装置３０において各部材や部材同士の連結部が破損したり、上枠２や下枠３、上框１１や下框１２との固定が外れたりした場合であっても、障子１０の落下が防止できるようになっている。以下、落下防止装置４０の構成および作用について、図５〜図８も参照して説明する。
【００２２】
図５は、落下防止装置４０を示す側面図であり、上枠２を断面するとともに吊り元側の縦框１３を外側から見た側面図である。図６は、落下防止装置４０を示す分解斜視図である。図７は、落下防止装置４０の設置位置を示す室外側から見た正面図である。図８は、落下防止装置４０の動作を説明する平面図である。
落下防止装置４０は、上枠２にスライド自在に設けられるスライド部材としてのスライダ４１と、このスライダ４１に一端が回動自在に連結されるとともに一方側である吊り元側の縦枠４に向かって延びる連結部材としての連結アーム４２と、この連結アーム４２の他端に回動自在に連結されるとともに吊り元側の縦框１３に固定される支持部材としてのブラケット４３とを備えて構成されている。そして、落下防止装置４０のスライダ４１は、上枠２に設けられた案内部としての案内溝２Ｄに案内され、上枠２の長手方向である左右にスライド移動可能に支持されている。この案内溝２Ｄは、上枠２の見付け面部２Ｂの室外側側面における気密材２Ｃよりも上側でかつ室外側に開口して形成されている。
【００２３】
スライダ４１は、断面略Ｔ字形に形成された金属製のピース部材であって、案内溝２Ｄに挿通される支持片部４１Ａと、この支持片部４１Ａから室外側に突出して連結アーム４２と連結される突出片部４１Ｂとを有して形成されている。連結アーム４２は、金属板材から折り曲げ加工により形成された部材であって、スライダ４１に連結されるとともに障子１０の上框１１に沿って吊り元側の縦枠４に向かって延びる第１片部４２Ａと、この第１片部４２Ａの先端部から下方に折れ曲がって縦框１３に沿って延びる第２片部４２Ｂと、この第２片部４２Ｂの下端部に連続して室外側に延びブラケット４３に連結される第３片部４２Ｃとを有して形成されている。そして、連結アーム４２の第１片部４２Ａは、連結ピン４４を介してスライダ４１に連結され、第３片部４２Ｃは、連結ピン４５を介してブラケット４３に連結されている。また、ブラケット４３は、金属板材から折り曲げ加工により形成された部材であって、縦框１３の見込み面部１３Ｄに固定される固定片部４３Ａと、この固定片部４３Ａから縦框１３の見付け方向外側に突出した連結片部４３Ｂとを有して形成されている。そして、ブラケット４３は、固定片部４３Ａに形成された上下の長孔４３Ｃと、これらの長孔４３Ｃを貫通して上框１１のビスホールに螺合する２本のビス４６とによって、縦框１３に固定されている。さらに、ブラケット４３の連結片部４３Ｂは、上部支持装置２０におけるベース部材２１の位置決め片部２１Ａ先端よりも下方に位置して設けられ、この位置決め片部２１Ａと連結アーム４２の第３片部４２Ｃとが干渉しないようになっている。
【００２４】
以上の落下防止装置４０は、図４、図５および図７に示すように、上枠２と障子１０の上框１１との隙間、および縦枠４と縦框１３との隙間に設けられ、スライダ４１と連結アーム４２の第１片部４２Ａとは、上部支持装置２０のベース部材２１の見込み方向室内側に重なる位置に設けられている。そして、スライダ４１と連結アーム４２の第１片部４２Ａとは、上枠２の気密材（上気密材）２Ｃよりも上側に位置して設けられ、連結アーム４２の第２片部４２Ｂおよび第３片部４２Ｃは、縦枠４の気密材（縦気密材）４Ｃよりも室外側かつ見付け方向外側に設けられている。すなわち、落下防止装置４０は、障子１０を閉じた状態で気密材２Ｃ，３Ｃ，４Ｃ，５Ｃで形成される気密ラインよりも室外側に位置して設けられている。そして、障子１０を開放する際には、図８に示すように、吊り元側の縦框１３の回動に伴って連結アーム４２が揺動するとともに、スライダ４１が縦枠４から離れる方向にスライドして障子の開閉移動に追従できるようになっている。さらに、障子１０の開放開始時において、図８(Ｂ)に示すように、連結アーム４２の第２片部４２Ｂが上部支持装置２０におけるベース部材２１の位置決め片部２１Ａ室内側を通過し、落下防止装置４０と上部支持装置２０とが干渉しないように構成されている。
【００２５】
このような本実施形態によれば、以下のような効果がある。
（１）落下防止装置４０のスライダ４１を案内する案内溝２Ｄが上枠２の見付け面部２Ｂ室外側に設けられるとともに、連結アーム４２の他端を支持するブラケット４３が障子１０の吊り元側における縦框１３の見込み面部１３Ｄに固定されているので、案内溝２Ｄや落下防止装置４０が室内側に突出しないようにできる。そして、障子１０を開放した際にも連結アーム４２などが開口部分に大きく露出することなく、落下防止装置４０が目立たないようにできる。従って、閉鎖状態および開放状態のいずれの状態においても落下防止装置４０が目立たず、縦辷り出し窓１の意匠性を向上させることができる。さらに、落下防止装置４０が室内側に突出しないことから、縦辷り出し窓１の室内側に設けられるブラインドやカーテンなど内装具の邪魔になることがなく、これらを設置する上での制約をなくして利便性を向上させることができる。
【００２６】
（２）また、落下防止装置４０の連結アーム４２が互いに折れ曲がって形成された第１〜第３の各片部４２Ａ，４２Ｂ，４２Ｃを有して形成されるとともに、第１片部４２Ａが障子１０の上框１１に沿って配置され、第２片部４２Ｂが吊り元側の縦框１３に沿って配置されているので、連結アーム４２がより一層目立たなくできる。そして、障子１０の開放時において、窓枠６からの距離が最も近くなる吊り元側の縦框１３における見込み面部１３Ｄにブラケット４３が固定され、このブラケット４３に連結アーム４２の第３片部４２Ｃが連結されているので、連結アーム４２の長さ寸法やスライダ４１の移動距離が小さくでき、これらの各部寸法を小さくしても障子１０の開閉に十分追従できることから、落下防止装置４０の小型化を図ることができる。
【００２７】
（３）また、落下防止装置４０の連結アーム４２が水平面と平行に揺動し、スライダ４１が水平方向にスライド移動するようになっているので、連結アーム４２とスライダ４１との連結部（連結ピン４４）における摩擦抵抗や、スライダ４１と案内溝２Ｄとの摩擦抵抗を低減することができる。従って、落下防止装置４０の各部における摩耗を防止して装置の小型化をさらに促進することができるとともに、障子１０に対する追従性が良好になって開閉操作の負荷を低減することができる。そして、障子１０の開閉時において、落下防止装置４０の連結アーム４２が上部支持装置２０と干渉することなく、障子１０の開閉動作に追従することができるので、障子１０の開閉操作が円滑にできるとともに、上部支持装置２０の構造を変更する必要がなく、既存の縦辷り出し窓１に後付けで落下防止装置４０を取り付けることも可能になる。
【００２８】
〔第２実施形態〕
次に、本発明の第２実施形態を図９〜図１２に基づいて説明する。
図９は、第２実施形態に係る建具である開き窓１Ａを示す横断面図である。図１０は、開き窓１Ａの要部を拡大して示す斜視図である。図１１は、開き窓１Ａに設けられる落下防止装置５０を示す側面図であり、上枠２を断面するとともに吊り元側の縦框１３を外側から見た側面図である。図１２は、落下防止装置５０の動作を説明する平面図である。
本実施形態では、建具としての開き窓１Ａに落下防止装置５０を適用した例を説明するが、落下防止装置５０の基本構成は、前記第１実施形態の落下防止装置４０と略同様である。以下、第１実施形態との相違点について詳しく説明し、共通事項の説明は、省略あるいは簡略して説明する。
【００２９】
開き窓１Ａは、前記第１実施形態の縦辷り出し窓１と略同様の窓枠６と、障子１０とを備えて構成され、障子１０の一方側である吊り元側の縦框１３が縦枠４に蝶番１７を介して支持されている。蝶番１７は、上下の複数箇所に設置され、縦枠４側に固定される第１固定片１７Ａと、縦框１３の見込み面部１３Ｄに固定される第２固定片１７Ｂと、縦框１３の室外側見付け面部１３Ｂよりも室内側に位置して第１および第２の固定片１７Ａ，１７Ｂを回動自在に連結する回転軸１７Ｃとを有して構成されている。従って、開き窓１Ａにおける障子１０は、回転軸１７Ｃを中心として、すなわち吊り元側の縦框１３の室外側見付け面部１３Ｂと見込み面部１３Ｄとの交差位置近傍を中心として、他方側である戸先側の縦框１４が室外側に開放されるようになっている。
【００３０】
落下防止装置５０は、上枠２の案内溝２Ｄにスライド自在に支持されるスライド部材としてのスライダ５１と、このスライダ５１に一端が回動自在に連結されるとともに吊り元側の縦枠４に向かって延びる連結部材としての連結アーム５２と、この連結アーム５２の他端に回動自在に連結されるとともに吊り元側の縦框１３に固定される支持部材としてのブラケット５３とを備えて構成されている。連結アーム５２は、スライダ５１に連結ピン５４を介して連結されるとともに障子１０の上框１１に沿って室外側かつ縦枠４に向かって延びる第１片部５２Ａと、この第１片部５２Ａの先端部から下方に折れ曲がって縦框１３に沿って延びる第２片部５２Ｂと、この第２片部５２Ｂの下端部に連続して縦枠４側に折れ曲がるとともにブラケット５３に連結ピン５５を介して連結される第３片部５２Ｃとを有して形成されている。なお、スライダ５１およびブラケット５３の構成は、前記第１実施形態の落下防止装置４０におけるスライダ４１およびブラケット４３と略同様である。また、ブラケット５３は、図１０に示すように、上側の蝶番１７よりも上方に位置して設けられ、蝶番１７と落下防止装置５０とが干渉しないようになっている。
【００３１】
以上の落下防止装置５０は、図１２に示すように、吊り元側の縦框１３の回動に伴って連結アーム５２が揺動するとともに、スライダ５１が縦枠４から離れる方向にスライドすることで、障子１０の開放動作に追従できるようになっている。また、障子１０の閉鎖時にも同様に、連結アーム５２が揺動するとともにスライダ５１が縦枠４側にスライドして、障子１０の閉鎖動作に追従できるようになっている。このように、障子１０の開閉時において、落下防止装置５０が蝶番１７などと干渉することなく、障子１０の開閉動作に追従することができるので、障子１０の開閉操作が円滑にできるとともに、蝶番１７の構造を変更する必要がなく、既存の開き窓１Ａに後付けで落下防止装置５０を取り付けることも可能になる。
【００３２】
なお、本発明は、前記実施形態に限定されるものではなく、本発明の目的が達成できる他の構成等を含み、以下に示すような変形等も本発明に含まれる。
例えば、前記実施形態においては、縦辷り出し窓１や開き窓１Ａを例示し、これらの窓に落下防止装置４０，５０を設けた態様を説明したが、本発明の建具としては、縦辷り出し窓１や開き窓１Ａに限らず、横辷出し窓や突き出し窓、外倒し窓、回転窓など、各種開閉形式の窓が適用可能である。
また、前記実施形態では、落下防止装置４０，５０を上枠２側の１箇所に設けたが、これに限らず、上枠２側および下枠３側の２箇所に設けてもよく、さらには下枠３側の１箇所のみに設けてもよい。また、窓の開閉形式として横軸回りに開閉可能な障子を備えた建具の場合には、落下防止装置が左右の縦枠の少なくとも一方と障子とを連結するように設けられていればよい。
【００３３】
また、前記実施形態では、落下防止装置４０，５０のスライダ４１，５１を案内する案内部として、案内溝２Ｄを上枠２と一体に形成したが、これに限らず、上枠２と別体かつ長尺溝状の案内部材を用意し、この案内部材を上枠２や縦枠４に取り付けてもよい。
さらに、前記実施形態では、落下防止装置４０，５０の支持部材であるブラケット４３，５３を一方側である吊り元側の縦框１３における見込み面部１３Ｄに固定したが、これに限らず、例えば、縦框１３の上端部に支持部材を固定してもよく、さらには上框１１（または下框１２）の一方側端部近傍に支持部材を固定してもよい。この場合には、支持部材としては、前記ブラケット４３，５３のように突出した連結片部４３Ｂに代えて、上框１１や下框１２の見込み面部１１Ｄ，１２Ｄに平行な連結片部を有して構成されていることが好ましい。
【００３４】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３５】
【図１】本発明の第１実施形態に係る建具を示す縦断面図である。
【図２】前記建具を示す横断面図である。
【図３】前記建具の要部を拡大して示す斜視図である。
【図４】前記建具における上部支持装置を示す見上げの断面図である。
【図５】前記建具に設けた落下防止装置を示す側面図である。
【図６】前記落下防止装置を示す分解斜視図である。
【図７】前記落下防止装置の設置位置を示す室外側から見た正面図である。
【図８】前記落下防止装置の動作を説明する平面図である。
【図９】本発明の第２実施形態に係る建具を示す横断面図である。
【図１０】前記建具の要部を拡大して示す斜視図である。
【図１１】前記建具に設けた落下防止装置を示す側面図である。
【図１２】前記落下防止装置の動作を説明する平面図である。
【符号の説明】
【００３６】
１…縦辷り出し窓（建具）、１Ａ…開き窓（建具）、２…上枠、２Ｄ…案内溝（案内部）、３…下枠、４，５…縦枠、６…窓枠、２Ｂ，３Ｂ，４Ｂ，５Ｂ…見付け面部、２Ｃ，３Ｃ，４Ｃ，５Ｃ…気密材、１０…障子、１１…上框、１２…下框、１３，１４…縦框、１３Ｄ…見込み面部、１５…ガラスパネル、２０…上部支持装置、２２，２３，２４，２５…リンク部材、３０…下部支持装置、４０，５０…落下防止装置、４１，５１…スライダ（スライド部材）、４２，５２…連結アーム（連結部材）、４２Ａ…第１片部、４２Ｂ…第２片部、４２Ｃ…第３片部、４３，５３…ブラケット（支持部材）。
【図１】
2009228343.tif 000003
【図２】
2009228343.tif 000004
【図３】
2009228343.tif 000005
【図４】
2009228343.tif 000006
【図５】
2009228343.tif 000007
【図６】
2009228343.tif 000008
【図７】
2009228343.tif 000009
【図８】
2009228343.tif 000010
【図９】
2009228343.tif 000011
【図１０】
2009228343.tif 000012
【図１１】
2009228343.tif 000013
【図１２】
2009228343.tif 000014